(57)【要約】【課題】本考案は、パネルの占用空間を縮小する放電ランプ・ドライブ装置を提供する。【解決手段】本考案に係わる複数の放電ランプを駆動することに用いられる放電ランプ・ドライブ装置は、受信した信号をこれらの放電ランプを駆動するための第一高圧信号及び第二高圧信号に変換することに用いられるコントロール回路が設置してあるコントロール回路板と、これらの放電ランプの一端に接続されてこれらの放電ランプを流れる電流を平衡することに用いられる第一平衡回路が設置してある第一接続板と、これらの放電ランプの他端に接続されてこれらの放電ランプを流れる電流を平衡することに用いられる第二平衡回路が設置してある第二接続板と、前記コントロール回路が前記第一平衡回路に第一高圧信号を出力するように、前記コントロール回路板と前記第一接続板を接続する第一組高圧線と、前記コントロール回路が前記第二平衡回路に第二高圧信号を出力するように、前記コントロール回路板と前記第二接続板を接続する第二組高圧線とを備える。【選択図】図１ａ
0003139409.tif 000002
【実用新案登録請求の範囲】
【請求項１】
複数の放電ランプを駆動する放電ランプ・ドライブ装置であって、
受信した信号をこれらの放電ランプを駆動するための第一高圧信号及び第二高圧信号に変換することに用いられるコントロール回路が設置してあるコントロール回路板と、
これらの放電ランプの一端に接続されてこれらの放電ランプを流れる電流を平衡することに用いられる第一平衡回路が設置してある第一接続板と、
これらの放電ランプの他端に接続されてこれらの放電ランプを流れる電流を平衡することに用いられる第二平衡回路が設置してある第二接続板と、
前記コントロール回路が前記第一平衡回路に第一高圧信号を出力するように、前記コントロール回路板と前記第一接続板を接続する第一組高圧線と、
前記コントロール回路が前記第二平衡回路に第二高圧信号を出力するように、前記コントロール回路板と前記第二接続板を接続する第二組高圧線と、
を備えることを特徴とする放電ランプ・ドライブ装置。
【請求項２】
前記第一高圧信号と前記第二高圧信号の位相が相反することを特徴とする請求項１に記載の放電ランプ・ドライブ装置。
【請求項３】
前記第一接続板と前記第二接続板は、皆前記コントロール回路板にほぼ垂直に設置されることを特徴とする請求項１に記載の放電ランプ・ドライブ装置。
【請求項４】
前記第一接続板と前記第二接続板は、皆前記コントロール回路板に平行に設置されることを特徴とする請求項１に記載の放電ランプ・ドライブ装置。
【請求項５】
前記第一接続板と前記第二接続板は、皆四層板であることを特徴とする請求項４に記載の放電ランプ・ドライブ装置。
【請求項６】
前記第一平衡回路及び前記第二平衡回路は、別々に複数のインダクタンス素子を備え、且つこれらのインダクタンス素子は、これらの放電ランプに接続することを特徴とする請求項１に記載の放電ランプ・ドライブ装置。
【請求項７】
前記第一接続板に設置されて、前記コントロール回路に第一保護信号を出力して前記コントロール回路の出力を制御する第一保護回路を更に備えることを特徴とする請求項１に記載の放電ランプ・ドライブ装置。
【請求項８】
前記コントロール回路板と前記第一接続板を接続する第一組保護線を更に備え、前記第一保護回路は、前記第一組保護線を介して、前記コントロール回路に第一保護信号を出力することを特徴とする請求項７に記載の放電ランプ・ドライブ装置。
【請求項９】
前記第二接続板に設置されて、前記コントロール回路に第二保護信号を出力して前記コントロール回路の出力を制御する第二保護回路を更に備えることを特徴とする請求項１に記載の放電ランプ・ドライブ装置。
【請求項１０】
前記コントロール回路板と前記第二接続板を接続する第二組保護線を更に備え、前記第二保護回路は、前記第二組保護線を介して、前記コントロール回路に第二保護信号を出力することを特徴とする請求項９に記載の放電ランプ・ドライブ装置。
【請求項１１】
前記コントロール回路は、
受信した信号を交流信号に変換することに用いられるドライブ・スイッチング回路と、
前記ドライブ・スイッチング回路に接続し、前記交流信号を前記放電ランプを駆動するための第一高圧信号及び第二高圧信号に変換することに用いられる変圧回路と、
前記ドライブ・スイッチング回路に接続し、前記ドライブ・スイッチング回路の出力を制御することに用いられるパルス幅変調（ＰＷＭ）コントローラーと、
を備えることを特徴とする請求項１に記載の放電ランプ・ドライブ装置。
【請求項１２】
前記コントロール回路は、前記変圧回路と前記ＰＷＭコントローラーとの間に接続し、これらの放電ランプを流れる電流をフィードバックすることに用いられるフィードバック回路を更に備えることを特徴とする請求項１１に記載の放電ランプ・ドライブ装置。
【請求項１３】
前記コントロール回路は、前記ドライブ・スイッチング回路に接続され、受信した信号を直流信号に変換し、且つ前記コントロール回路の電力要素を矯正することに用いられる電力要素矯正回路を更に備えることを特徴とする請求項１１に記載の放電ランプ・ドライブ装置。
【請求項１４】
複数の放電ランプを駆動する放電ランプ・ドライブ装置であって、
受信した信号をこれらの放電ランプを駆動するための第一高圧信号及び第二高圧信号に変換することに用いられるコントロール回路と、一端が前記コントロール回路に接続されて前記第一高圧信号を受信することに用いられ、他端がこれらの放電ランプの一端に接続されて前記放電ランプを流れる電流を平衡することに用いられる第一平衡回路とが設置してあるコントロール回路板と、
これらの放電ランプの他端に接続されて前記放電ランプを流れる電流を平衡することに用いられる第二平衡回路が設置してある接続板と、
前記コントロール回路が前記平衡回路に第二高圧信号を出力するように、前記コントロール回路板と前記接続板を接続する高圧線と、
を備えることを特徴とする放電ランプ・ドライブ装置。
【請求項１５】
前記第一高圧信号と前記第二高圧信号の位相が相反することを特徴とする請求項１４に記載の放電ランプ・ドライブ装置。
【請求項１６】
前記接続板は、前記コントロール回路板にほぼ垂直に設置されることを特徴とする請求項１４に記載の放電ランプ・ドライブ装置。
【請求項１７】
前記接続板は、前記コントロール回路板に平行に設置されることを特徴とする請求項１４に記載の放電ランプ・ドライブ装置。
【請求項１８】
前記接続板は、四層板であることを特徴とする請求項１７に記載の放電ランプ・ドライブ装置。
【請求項１９】
前記第一平衡回路及び前記第二平衡回路は、別々に複数のインダクタンス素子を備え、且つこれらのインダクタンス素子は、これらの放電ランプに接続することを特徴とする請求項１４に記載の放電ランプ・ドライブ装置。
【請求項２０】
前記コントロール回路板に設置されて、前記コントロール回路に第一保護信号を出力して前記コントロール回路の出力を制御する第一保護回路を更に備えることを特徴とする請求項１４に記載の放電ランプ・ドライブ装置。
【請求項２１】
前記接続板に設置されて、前記コントロール回路に第二保護信号を出力して前記コントロール回路の出力を制御する第二保護回路を更に備えることを特徴とする請求項１４に記載の放電ランプ・ドライブ装置。
【請求項２２】
前記コントロール回路板と前記接続板を接続する一組の保護線を更に備え、前記第二保護回路は、前記保護線を介して、前記コントロール回路に第二保護信号を出力することを特徴とする請求項２１に記載の放電ランプ・ドライブ装置。
【請求項２３】
前記コントロール回路は、
受信した信号を交流信号に変換することに用いられるドライブ・スイッチング回路と、
前記ドライブ・スイッチング回路に接続し、前記交流信号を前記放電ランプを駆動するための第一高圧信号及び第二高圧信号に変換することに用いられる変圧回路と、
前記ドライブ・スイッチング回路に接続し、前記ドライブ・スイッチング回路の出力を制御することに用いられるパルス幅変調（ＰＷＭ）コントローラーと、
を備えることを特徴とする請求項１４に記載の放電ランプ・ドライブ装置。
【請求項２４】
前記コントロール回路は、前記変圧回路と前記ＰＷＭコントローラーとの間に接続し、これらの放電ランプを流れる電流をフィードバックすることに用いられるフィードバック回路を更に備えることを特徴とする請求項２３に記載の放電ランプ・ドライブ装置。
【請求項２５】
前記コントロール回路は、前記ドライブ・スイッチング回路に接続され、受信した信号を直流信号に変換し、且つ前記コントロール回路の電力要素を矯正することに用いられる電力要素矯正回路を更に備えることを特徴とする請求項２３に記載の放電ランプ・ドライブ装置。
【請求項２６】
パネルと、前記パネルの上に並行に設置された複数の放電ランプを駆動することに用いられる放電ランプ・ドライブ装置を備える電子装置であって、前記放電ランプ・ドライブ装置は、
受信した信号をこれらの放電ランプを駆動するための第一高圧信号及び第二高圧信号に変換することに用いられるコントロール回路が設置してあるコントロール回路板と、
これらの放電ランプの一端に接続されてこれらの放電ランプを流れる電流を平衡することに用いられる第一平衡回路が設置してある第一接続板と、
これらの放電ランプの他端に接続されてこれらの放電ランプを流れる電流を平衡することに用いられる第二平衡回路が設置してある第二接続板と、
前記コントロール回路が前記第一平衡回路に第一高圧信号を出力するように、前記コントロール回路板と前記第一接続板を接続する第一組高圧線と、
前記コントロール回路が前記第二平衡回路に第二高圧信号を出力するように、前記コントロール回路板と前記第二接続板を接続する第二組高圧線と、
を備えることを特徴とする電子装置。
【考案の詳細な説明】
【技術分野】
【０００１】
本考案は、放電ランプ・ドライブ装置に関するものであり、特に液晶表示装置（ｌｉｑｕｉｄ  ｃｒｙｓｔａｌ  ｄｉｓｐｌａｙ，ＬＣＤ）のバックライトモジュールに用いられる放電ランプ・ドライブ装置に関するものである。
【背景技術】
【０００２】
液晶表示パネルは、放電ランプ、特に冷陰蛍光燈（Ｃｏｌｄ  Ｃａｔｈｏｄｅ  Ｆｌｕｏｒｅｓｃｅｎｔ  Ｌａｍｐ，ＣＣＦＬ）をバックライトモジュールの光源とする。典型的に、前記冷陰蛍光燈は、インバータ回路により駆動し、それは放電ランプに交流信号を提供することができる。ＬＣＤパネルの寸法が増加することに随って、予定の輝度に達するため、通常長い冷陰蛍光燈を採用する。しかし、長い冷陰蛍光燈は、ダブル高圧駆動の方式を採用しなければ、均一に発光することができない。
【０００３】
図7ａは、従来の電子装置６の平面図であって、図7ｂは、図7ａをＦ方向から見た側面図である。前記電子装置６は、液晶表示パネル６１０及びダブル高圧放電ランプ駆動装置を備える。前記ダブル高圧放電ランプ駆動装置は、前記液晶表示パネル６１０の上に並行に設置された複数の放電ランプ６４（図7ｂを参照してください）を駆動することに用いられ、それは第一コントロール回路板６１、第二コントロール回路板６１’、一組の信号線６１１を備える。前記第一コントロール回路板６１は、複数のコネクター６２２を有し、第一平衡回路６２及び第一コントロール回路６３を備える。前記第一平衡回路６２は、複数のインダクタンス素子６２１を備え、且つこれらの放電ランプ６４の一端に接続される。前記第二コントロール回路板６１’は、複数のコネクター６２２’を有し、第二平衡回路６２’及び第二コントロール回路６３’を備える。前記第二平衡回路６２’は、複数のインダクタンス素子６２１’を備え、且つこれらの放電ランプ６４の他端に接続される。
【０００４】
前記第一コントロール回路６３は、前記第一コントロール回路板６１の上に設置され、受信した電気信号をこれらの放電ランプ６４を駆動するための第一電気信号に変換することに用いられる。前記第一平衡回路６２も前記第一コントロール回路板６１の上に設置され、前記第一コントロール回路６３に接続し、これらの放電ランプ６４を流れる電流を平衡することに用いられる。前記第一コントロール回路板６１は、これらのコネクター６２２を介して、前記放電ランプ６４の一端に接続する。前記第二コントロール回路６３’は、前記第二コントロール回路板６１’の上に設置され、受信した電気信号ををこれらの放電ランプ６４を駆動するための第二電気信号に変換することに用いられる。前記第二平衡回路６２’も前記第二コントロール回路板６１’の上に設置され、前記第二コントロール回路６３’に接続し、これらの放電ランプ６４を流れる電流を平衡することに用いられる。前記第二コントロール回路板６１’は、これらのコネクター６２２’を介して、前記放電ランプ６４の他端に接続する。前記第一コントロール回路板６１と前記第二コントロール回路板６１’は、信号線６１１を介して互いに接続し、且つ前記第一コントロール回路板６１の第一コントロール回路６３を介して、前記第二コントロール回路板６１’の第二コントロール回路６３’に同期信号を伝送する。
【０００５】
ダブル高圧放電ランプ駆動装置は、前級回路（図に示していない）から出力する直流信号（約２４Ｖ）をこれらの放電ランプを駆動するための交流信号に変換するため、このような駆動方式を低圧駆動方式と定義する。
【０００６】
もう一つの従来のダブル高圧放電ランプ駆動装置は、図７ａに示す電子装置６の駆動装置と基本的に同じであるが、異なったのは、前記もう一つのダブル高圧放電ランプ駆動装置は、更に第一電力要素矯正回路（Ｐｏｗｅｒ  Ｆａｃｔｏｒ  Ｃｏｒｒｅｃｔｉｏｎ，ＦＰＣ）及び第二電力要素矯正回路を備え、電力要素矯正回路毎は、皆特定地域内電源交流信号（例えば、中国大陸地区は２２０Ｖであって、北アメリカ地区は１１０Ｖである）を直接に受信し、且つ前記電力要素矯正回路を介して、前記交流信号を直流信号（約４００Ｖ）に変換してインバーター回路に出力し、放電ランプを点灯する。前記低圧駆動方式に反して、このような駆動方式を高圧駆動方式と定義する。高圧駆動方式は、４００Ｖ信号を２４Ｖ信号に変換する回路を省略するため、効率が高くてコストが低い利点がある。
【０００７】
上述の二つの駆動方式において、放電ランプ駆動装置は、皆第一コントロール回路板６１の第一コントロール回路６３及び第二コントロール回路板６１’の第二コントロール回路６３’によって生じる極性が相反する高圧信号で放電ランプ６４を駆動する。しかし、このような構造は、液晶表示パネル６１０の空間を占める問題がある。
【考案の開示】
【考案が解決しようとする課題】
【０００８】
本考案の第一目的は、前記課題を解決し、ただ一つのコントロール回路で二つの平衡回路を制御し、且つ其の中の一つの平衡回路とコントロール回路が異なる回路板に設置されるため、占用空間を縮小することができる放電ランプ・ドライブ装置を提供することである。
【０００９】
本考案の第二目的は、前記課題を解決し、ただ一つのコントロール回路で二つの平衡回路を制御し、且つ其の中の一つの平衡回路とコントロール回路が異なる回路板に設置されるため、占用空間を縮小することができる放電ランプ・ドライブ装置を採用する電子装置を提供することである。
【課題を解決するための手段】
【００１０】
前記第一目的を達成するため、本考案に係る複数の放電ランプを駆動することに用いられる放電ランプ・ドライブ装置は、コントロール回路板と、第一接続板と、第二接続板と、第一組高圧線及び第二組高圧線を備える。前記コントロール回路板の上に、受信した信号をこれらの放電ランプを駆動するための第一高圧信号及び第二高圧信号に変換することに用いられるコントロール回路を設置する。前記第一接続板の上に、これらの放電ランプの一端に接続されてこれらの放電ランプを流れる電流を平衡することに用いられる第一平衡回路を設置する。前記第二接続板の上に、これらの放電ランプの他端に接続されてこれらの放電ランプを流れる電流を平衡することに用いられる第二平衡回路を設置する。前記第一組高圧線は、前記コントロール回路板と前記第一接続板を接続し、前記コントロール回路は、前記第一組高圧線を介して、前記第一平衡回路に第一高圧信号を出力する。前記第二組高圧線は、前記コントロール回路板と前記第二接続板を接続し、前記コントロール回路は、前記第二組高圧線を介して、前記第二平衡回路に第二高圧信号を出力する。
【００１１】
前記第一目的を達成するため、本考案に係る複数の放電ランプを駆動することに用いられる他の放電ランプ・ドライブ装置は、コントロール回路板と、接続板及び一組の高圧線を備える。前記コントロール回路板の上に、受信した信号をこれらの放電ランプを駆動するための第一高圧信号及び第二高圧信号に変換することに用いられるコントロール回路と、一端が前記コントロール回路に接続されて前記第一高圧信号を受信することに用いられ、他端がこれらの放電ランプの一端に接続されて前記放電ランプを流れる電流を平衡することに用いられる第一平衡回路とを設置する。前記接続板の上に、これらの放電ランプの他端に接続されて前記放電ランプを流れる電流を平衡することに用いられる第二平衡回路を設置する。前記高圧線は、前記コントロール回路板と前記接続板を接続し、前記コントロール回路は、前記高圧線を介して、前記平衡回路に前記第二高圧信号を出力する。
【００１２】
前記第二目的を達成するため、本考案に係る電子装置は、パネル及び放電ランプ・ドライブ装置を備える。前記パネルの上に並行に設置された複数の放電ランプを駆動することに用いられる放電ランプ・ドライブ装置は、コントロール回路板と、第一接続板と、第二接続板と、第一組高圧線及び第二組高圧線を備える。前記コントロール回路板の上に、受信した信号をこれらの放電ランプを駆動するための第一高圧信号及び第二高圧信号に変換することに用いられるコントロール回路を設置する。前記第一接続板の上に、これらの放電ランプの一端に接続されてこれらの放電ランプを流れる電流を平衡することに用いられる第一平衡回路を設置する。前記第二接続板の上に、これらの放電ランプの他端に接続されてこれらの放電ランプを流れる電流を平衡することに用いられる第二平衡回路を設置する。前記第一組高圧線は、前記コントロール回路板と前記第一接続板を接続し、前記コントロール回路は、前記第一組高圧線を介して、前記第一平衡回路に第一高圧信号を出力する。前記第二組高圧線は、前記コントロール回路板と前記第二接続板を接続し、前記コントロール回路は、前記第二組高圧線を介して、前記第二平衡回路に第二高圧信号を出力する。
【考案の効果】
【００１３】
本考案の放電ランプ・ドライブ装置は、ただ一つのコントロール回路で二つの平衡回路を制御し、且つ其の中の一つの平衡回路とコントロール回路が異なる回路板に設置されるため、放電ランプ・ドライブ装置が占める空間を縮小する。
【考案を実施するための最良の形態】
【００１４】
図1ａは、本考案の第１の実施形態の電子装置の構成を示す平面図であって、図1ｂは、図1ａをＡ方向から見た側面図である。電子装置１は、パネル１１０及び放電ランプ・ドライブ装置１００を備える。前記放電ランプ・ドライブ装置１００は、前記パネル１１０の上に並行に設置された複数の放電ランプ１４（図1ｂを参照してください）を駆動することに用いられ、コントロール回路板１１と、第一接続板１５と、第二接続板１５’と、第一組高圧線１７と、第二組高圧線１７’と、第一組保護線１８及び第二組保護線１８’を備える。
【００１５】
前記コントロール回路板１１は、第一コネクター１１１と、第三コネクター１１３と、第五コネクター１１１’及び第七コネクター１１３’を備え、其の上にコントロール回路１３設置されてある。前記第一接続板１５は、第二コネクター１１２及び第四コネクター１１４を有し、其の上に第一平衡回路（図に示していない）及び第一保護回路（図に示していない）が設置されてある。前記第一平衡回路は、複数のインダクタンス素子１２１を備え、且つこれらの放電ランプ１４の一端に接続される。前記第二接続板１５’は、第六コネクター１１２’及び第八コネクター１１４’を有し、其の上に第二平衡回路（図に示していない）及び第二保護回路（図に示していない）が設置されてある。前記第二平衡回路も複数のインダクタンス素子１２１’を備え、且つこれらの放電ランプ１４の他端に接続される。本実施形態において、前記パネル１０は、液晶表示パネルである。
【００１６】
前記コントロール回路１３は、前記コントロール回路板１１の上に設置されており、受信した信号をこれらの放電ランプ１４を駆動するための第一高圧信号及び第二高圧信号に変換することに用いられる。前記第一平衡回路は、前記第一接続板１５の上に設置されており、これらの放電ランプ１４を流れる電流を平衡することに用いられる。前記第一組高圧線１７は、前記コントロール回路板１１及び前記第一接続板１５を接続する。詳しく説明すると、前記第一コネクター１１１は、前記コントロール回路板１３に設置されており、前記第二コネクター１１２は、前記第一接続板１５に設置されており、前記第一組高圧線１７を介して、前記第一コネクター１１１と前記第二コネクター１１２を接続する。だから、前記コントロール回路板１１の第一高圧信号を第一接続板１５に出力することができる。
【００１７】
前記第二接続板１５’の上に設置される前記第二平衡回路も、これらの放電ランプ１４を流れる電流を平衡することに用いられる。前記第二組高圧線１７’は、前記コントロール回路板１１と前記第二接続板１５’を接続する。詳しく説明すると、前記第五コネクター１１１’は、前記コントロール回路板１３に設置されており、前記第六コネクター１１２’は、前記第二接続板１５’に設置されており、前記第二組高圧線１７’を介して、前記第五コネクター１１１’と前記第六コネクター１１２’を接続する。だから、前記コントロール回路板１１の第二高圧信号を第二接続板１５’に出力することができる。
【００１８】
本実施形態において、前記第一高圧信号と前記第二高圧信号は、同期であって、且つ位相が相反する。これらの放電ランプ１４の高圧端と低圧端は、別々に位相が相反する高圧信号を受信し、即ち、放電ランプ１４の高圧端がポジティブ位相の高圧信号を受信すると、低圧端は、ネガティブ位相の高圧信号を受信する。なお、隣接する放電ランプ１４が受信する高圧端信号の位相は、同じでも良く、異なっても良い。
【００１９】
本実施形態において、前記第一組高圧線１７及び前記第二組高圧線１７’は、皆高いレベルの高圧線及び低いレベルの高圧線を備える。
【００２０】
本考案の他の実施形態において、前記第一組高圧線１７は、直接に溶接方式によって前記コントロール回路板１１と前記第一接続板１５を接続することができ、前記第二組高圧線１７’も、直接に溶接方式によって前記コントロール回路板１１と前記第二接続板１５’を接続することができ、コントロール回路１３は、前記第一組高圧線１７及び前記第一組高圧線１７’を介して、別々に第一高圧信号及び第二高圧信号を第一平衡回路と第二平衡回路に出力し、この場合、第一コネクター１１１、第二コネクター１１２、第五コネクター１１１’及び第六コネクター１１２’を皆省略することができる。
【００２１】
前記第一保護回路も前記第一接続板１５に設置され、前記コントロール回路１３に第一保護信号を出力することにより、前記コントロール回路１３の出力を制御する。前記第三コネクター１１３は、前記コントロール回路板１１１に設置されており、前記第四コネクター１１４は、前記第一接続板１５に設置されており、前記第一組保護線１８を介して、前記第三コネクター１１３と前記第四コネクター１１４を接続する。即ち、前記第一組保護線１８も、前記コントロール回路板１１と前記第一接続板１５を接続する。前記第二保護回路も前記第二接続板１５’に設置され、前記コントロール回路１３に第二保護信号を出力することにより、前記コントロール回路１３の出力を制御する。前記第七コネクター１１３’は、前記コントロール回路板１１１に設置されており、前記第八コネクター１１４’は、前記第二接続板１５’に設置されており、前記第二組保護線１８’を介して、前記第七コネクター１１３’と前記第八コネクター１１４’を接続する。即ち、前記第二組保護線１８’も、前記コントロール回路板１１と前記第二接続板１５’を接続する。
【００２２】
これらの放電ランプ１４にショート、開回路のような異常が発生する時、前記保護回路は、前記第一組保護線１８又は前記第二組保護線１８’によって、前記コントロール回路１３に第一保護信号又は第二保護信号を出力し、前記コントロール回路１３の出力を閉めて、これらの放電ランプ・ドライブ装置１００を保護する。
【００２３】
本考案の他の実施形態において、前記第一組保護線１８も、直接に溶接方式によって前記コントロール回路板１１と前記第一接続板１５を接続することができ、前記第二組保護線１８’も、直接に溶接方式によって前記コントロール回路板１１と前記第二接続板１５’を接続することができ、この場合、同様に第三コネクター１１３、第四コネクター１１４’、第七コネクター１１３’及び第八コネクター１１４’を皆省略することができる。
【００２４】
本実施形態において、前記放電ランプ・ドライブ装置１００の駆動方式は、低圧駆動方式である。前記放電ランプ・ドライブ装置１００は、ただ一つのコントロール回路１３で二つの平衡回路を制御し、且つ第一平衡回路、第二平衡回路、第一保護回路及び第二保護回路は、皆従来のコントロール回路板１１から移出して、且つ別々に第一接続板１５及び第二接続板１５’の上に設置する。なお、前記第一接続板１５及び前記第二接続板１５’は、前記パネル１１０の両側に設置され、且つほぼ前記コントロール回路板１１と垂直するため、コストを下げることができるばかりでなく、前記放電ランプ・ドライブ装置１００がパネル１１０の空間を少なく占めることにして、テレビメーカーのような完成品出荷メーカーにより多い設計空間を残す。
【００２５】
なお、前記放電ランプ・ドライブ装置１００は、割りに少ないコネクター、第一組高圧線１７及び第二組高圧線１７’を介して、コントロール回路板１１、第一接続板１５及び第二接続板１５’を接続する。だから、パネルメーカーが出荷する時、前記第一接続板１５及び前記第二接続板１５’を前記パネル１１０に置くだけで、前記コントロール回路板１１０に置く必要がなく、従って、パネルメーカーのコストを節約し、複雑度を下げる。
【００２６】
本実施形態において、これらの放電ランプ１４の高圧端電極を直接に前記第一接続板１５に溶接することができ、前記低圧端電極も直接に前記第二接続板１５’に溶接することができるため、コストを節約し、且つ組み立てやすい。
【００２７】
図２ａは、本考案の第二実施形態の電子装置２の構造を示す平面図であって、図２ｂは、図２ａをＢ方向から見た側面図である。電子装置２は、本考案の図１ａに示す電子装置１と基本的に同じであるが、異なったのは、図２ａに示す放電ランプ・ドライブ装置２００の駆動方式は、高圧駆動方式である。コントロール回路板２１は、第九コネクター２１９を更に備え、前記第九コネクター２１９によって、特定地域内電源交流電圧（例えば、中国大陸地区は２２０Ｖであって、北アメリカ地区は１１０Ｖである）に直接に接続することができる。
【００２８】
図３ａは、本考案の第三実施形態の電子装置３の構造を示す平面図であって、図３ｂは、図３ａをＣ方向から見た側面図である。電子装置３は、本考案の図１ａに示す電子装置１と基本的に同じであるが、異なったのは、前記電子装置３の放電ランプ・ドライブ装置３００の第一接続板３５、第二接続板３５’及びコントロール回路板３１が同じ平面に位置し、且つ前記第一接続板３５と前記コントロール板３１は、互いに近付く。
【００２９】
第一組高圧線３７及び第一組保護線３８は、直接に溶接方式によってコントロール回路板３１と第一接続板３５を接続する。前記第一接続板３５は、複数のコネクター３２２を更に備え、且つこれらのコネクター３２２を介して複数の放電ランプ３４の一端に接続する。放電ランプ３４毎の高圧端電極は、皆接続線３９によって対応するコネクター３２２に接続する。なお、第二高圧線３７’及び第二保護線３８’も、直接に溶接方式によってコントロール回路板３１と第二接続板３５’を接続する。前記第二接続板３５’も複数のコネクター３２２’を更に備え、且つこれらのコネクター３２２’を介して複数の放電ランプ３４の他端に接続する。放電ランプ３４毎の低圧端電極は、皆接続線３９’によって対応するコネクター３２２’に接続する。
【００３０】
本実施形態において、前記放電ランプ・ドライブ装置３００も一つのコントロール回路３３で二つの平衡回路３２、３２’を制御し、且つ前記第一接続板３５及び前記第二接続板３５’が四層板であるため、パネル３１０の空間を少なく占め、同様に、このような方式も放電ランプ・ドライブ装置３００がパネル３１０の面積を少なく占めることにする。本実施形態において、パネルメーカーが出荷する時、同様に、ただ第一接続板３５及び第二接続板３５’をパネル３１０に置くだけで、コントロール回路板に置く必要がない。完成品メーカーは、第一高圧線３７、第一保護線３８及び第二高圧線３７’及び第二保護線３８’を直接に溶接することにより、コントロール回路板３１と第一接続板３５及びコントロール回路板３１と第二接続板３５’を接続することができる。
【００３１】
本考案の他の実施形態において、完成品出荷メーカーは、割に少ないコネクター３２２、３２２’と、高圧線３７、３７’及び保護線３８、３８’を介して、コントロール回路板３１と接続板３５、３５’を接続することができる。
【００３２】
図４ａは、本考案の第四実施形態の電子装置４の構造を示す平面図であって、図４ｂは、図４ａをＤ方向から見た側面図である。電子装置４は、本考案の図１ａに示す電子装置１と基本的に同じであるが、異なったのは、前記電子装置４の放電ランプ・ドライブ装置４００の第一平衡回路４２とコントロール回路４３が前記コントロール回路板４１の上に一緒に設置される。前記平衡回路４２の一端は、前記コントロール回路４３に接続し、第一高圧信号を受信することに用いられ、前記平衡回路４２の他端は、複数のコネクター４２２によってこれらの放電ランプ４４の一端に接続し、これらの放電ランプ１４を流れる電流を平衡することに用いられる。これらの放電ランプ４４の一端電極は、皆接続線４９によってコネクター４２２に接続される。これらの放電ランプ４４の他端は、接続板４５’の第二平衡回路に接続される。
【００３３】
本実施形態において、放電ランプ・ドライブ装置４００は、同様に一つのコントロール回路４３で二つの平衡回路を制御し、且つ接続板４５’に設置される第二平衡回路は、ほぼコントロール回路板４１に垂直するため、コストを下げるばかりでなく、空間も節約する。
【００３４】
図５ａは、本考案の第五実施形態の電子装置５の構造を示す平面図であって、図５ｂは、図５ａをＥ方向から見た側面図である。電子装置５は、本考案の図４ａに示す電子装置４と基本的に同じであるが、異なったのは、前記電子装置５の放電ランプ・ドライブ装置５００の接続板５５’とコントロール回路板５１は、同じ平面に位置し、且つ高圧線５７’と保護線５８’は、溶接方式によって前記コントロール回路板５１と接続板５５’を接続する。
【００３５】
本実施形態において、放電ランプ・ドライブ装置５００も同様に一つコントロール回路５３で二つの平衡回路５２、５２’を制御し、且つ接続板５５’が四層板であるため、空間を節約する。
【００３６】
図６ａは、本考案の図１ａのコントロール回路１３のモジュール図である。前記コントロール回路１３は、ドライブ・スイッチング回路１３１と、変圧回路１３２と、フィードバック回路１３３及びパルス幅変調（Ｐｕｌｓｅ  Ｗｉｄｔｈ  Ｍｏｄｕｌａｔｉｏｎ，ＰＷＭ）コントローラー１３４を備える。前記ドライブ・スイッチング回路１３１は、受信した信号を交流信号に変換することに用いられる。前記変圧回路１３２は、前記ドライブ・スイッチング回路１３１に接続し、前記交流信号を前記放電ランプ１４を駆動するための第一高圧信号及び第二高圧信号に変換することに用いられる。本実施形態において、前記ドライブ・スイッチング回路１３１が受信した信号は、直流信号（約２４Ｖ）であって、出力する交流信号は、方形波信号であって、前記変圧回路１３２が出力する高圧信号は、正弦波信号であって、且つ前記第一高圧信号と前記第二高圧信号の位相が相反する。前記フィードバック回路１３３は、前記変圧回路１３２と前記ＰＷＭコントローラー１３４との間に接続し、これらの放電ランプ１４を流れる電流をフィードバックすることに用いられる。前記ＰＷＭコントローラー１３４は、前記ドライブ・スイッチング回路１３１に接続し、前記ドライブ・スイッチング回路１３１の出力を制御することに用いられる。本実施形態において、前記変圧回路１３２は、少なくとも一つの独立な変圧器（図に示していない）を備え、二つ以上の二次側コイルを有する変圧器を備えてもよく、且つ二次側コイルの数量は等しい。
【００３７】
図６ｂは、本考案の図２ａのコントロール回路２３のモジュール図である。前記コントロール回路２３と本考案の図６ａに示すコントロール回路１３は、基本的に同じであるが、異なったのは、前記コントロール回路２３は、ドライブ・スイッチング回路２３１に接続され、受信した信号を直流信号に変換し、且つ前記コントロール回路２３の電力要素を矯正することに用いられる電力要素矯正回路２３５を更に備える。本実施形態において、前記受信した信号は、特定地域内電源交流電圧である。
【００３８】
本考案の放電ランプ・ドライブ装置は、ただ一つのコントロール回路で二つの平衡回路を制御し、且つ其の中の一つの平衡回路と前記コントロール回路が異なる回路板に設置するため、放電ランプ・ドライブ装置が占める空間を縮小する。
【図面の簡単な説明】
【００３９】
【図１ａ】本考案の第一実施形態の電子装置の構成を示す平面図である。
【図１ｂ】本考案の図１ａをＡ方向から見た側面図である。
【図２ａ】本考案の第二実施形態の電子装置の構成を示す平面図である。
【図２ｂ】本考案の図２ａをＢ方向から見た側面図である。
【図３ａ】本考案の第三実施形態の電子装置の構成を示す平面図である。
【図３ｂ】本考案の図３ａをＣ方向から見た側面図である。
【図４ａ】本考案の第四実施形態の電子装置の構成を示す平面図である。
【図４ｂ】本考案の図４ａをＤ方向から見た側面図である。
【図５ａ】本考案の第五実施形態の電子装置の構成を示す平面図である。
【図５ｂ】本考案の図５ａをＥ方向から見た側面図である。
【図６ａ】本考案の図１ａのコントロール回路のモジュール図である。
【図６ｂ】本考案の図２ａのコントロール回路のモジュール図である
【図７ａ】従来の電子装置の構成を示す平面図である。
【図７ｂ】図７ａをＦ方向から見た側面図である。
【符号の説明】
【００４０】
１、２、３、４、５  電子装置
１００、２００、３００、４００、５００  放電ランプ・ドライブ装置
１１０、２１０、３１０、４１０、５１０  パネル
３２、３２’、４２、５２、５２’  平衡回路
１１、２１、３１、４１、５１  コントロール板
１３、２３、３３、４３、５３  制御回路
１４、２４、３４、４４、５４  放電ランプ
１５、１５’、２５、２５’、３５、３５’、４５’、５５’  接続板
１７、１７’、２７、２７’、３７、３７’、４７’、５７’  高圧線
１８、１８’、２８、２８’、３８、３８’、４８’、５８’  保護線
３９、３９’、４９、５９、５９’  接続線
１１１、１１１’、１１２、１１２’、１１３、１１３’、１１４、１１４’、２１１、２１１’、２１３、２１３’、２１４、２１４’、２１９、３２２、３２２’、４１１’、４１２’、４１３’、
４２２、５２２、５２２’  コネクター
１２１、１２１’、２２１、２２１’、３２１、３２１’、４２１、４２１’、５２１、５２１’   インダクタンス素子
１３１、２３１  ドライブ・スイッチング回路
１３２、２３２  変圧回路
１３３、２３３  フィードバック回路
１３４、２３４  ＰＷＭコントローラー
２３５  電力要素矯正回路
【図１ａ】
0003139409.tif 000003
【図１ｂ】
0003139409.tif 000004
【図２ａ】
0003139409.tif 000005
【図２ｂ】
0003139409.tif 000006
【図３ａ】
0003139409.tif 000007
【図３ｂ】
0003139409.tif 000008
【図４ａ】
0003139409.tif 000009
【図４ｂ】
0003139409.tif 000010
【図５ａ】
0003139409.tif 000011
【図５ｂ】
0003139409.tif 000012
【図６ａ】
0003139409.tif 000013
【図６ｂ】
0003139409.tif 000014
【図７ａ】
0003139409.tif 000015
【図７ｂ】
0003139409.tif 000016